(57)【特許請求の範囲】
【請求項１】
家電品を収納する収納部と、
前記収納部を開閉する扉と、
家電品に電力を供給する給電部と、
前記扉を閉じた状態での家電品の使用を防止する家電品使用防止装置と、を備えており、
前記家電品使用防止装置は、家電品の使用電流を検出する電流検出部と、該電流検出部で検出された電流値が、家電品の使用状態での値以上の場合にのみ信号を出力して、家電品の待機状態での値以下の場合には信号を出力しない比較部と、該比較部からの信号に基づき家電品が使用されていることを報知する報知部と、該報知部に電力を供給するとともに基準電圧を出力する電源部と、からなる通電報知装置であり、
前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、
且つ、前記扉は、閉鎖状態において、前記収納部の上下に配置された棚の扉または引き出しの面材、及び、一対の側板の小口面に固定されたフィラー面材と、段差なく取り付けられ、
前記扉と前記フィラー面材とを組み合わせた幅が、前記収納部の上下に配置された棚の扉または引き出しの面材と一致していることを特徴とする家電品収納棚。
【請求項２】
家電品を収納する収納部と、
前記収納部を開閉する扉と、
家電品に電力を供給する給電部と、
前記扉を閉じた状態での家電品の使用を防止する家電品使用防止装置と、を備えており、
前記家電品使用防止装置は、家電品の使用電流を検出する電流検出部と、該電流検出部で検出された電流値が、家電品が使用状態での値以上の場合にのみ信号を出力して、家電品の待機状態での値以下の場合には信号を出力しない比較部と、該比較部からの信号に基づき家電品使用時に前記扉が閉鎖された場合にのみ家電品への給電を停止し、家電品待機時に前記扉が閉鎖された場合には家電品への給電を継続する開閉部と、該報知部に電力を供給するとともに基準電圧を出力する電源部と、からなる通電制御装置であり、
前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、
且つ、前記扉は、閉鎖状態において、前記収納部の上下に配置された棚の扉または引き出しの面材、及び、一対の側板の小口面に固定されたフィラー面材と、段差なく取り付けられ、
前記扉と前記フィラー面材とを組み合わせた幅が、前記収納部の上下に配置された棚の扉または引き出しの面材と一致していることを特徴とする家電品収納棚。
【請求項３】
家電品を収納する収納部と、
前記収納部を開閉する扉と、
家電品に電力を供給する給電部と、
前記扉を閉じた状態での家電品の使用を防止する家電品使用防止装置と、を備えており、
前記家電品使用防止装置は、家電品の使用電流を検出する電流検出部と、該電流検出部で検出された電流値が、家電品の使用状態での値以上の場合にのみ信号を出力して、家電品の待機状態での値以下の場合には信号を出力しない比較部と、該比較部からの信号に基づき家電品が使用されていることを報知する報知部と、該比較部からの信号に基づき家電品使用時に前記扉が閉鎖された場合にのみ家電品への給電を停止し、家電品待機時に前記扉が閉鎖された場合には家電品への給電を継続する開閉部と、該報知部に電力を供給するとともに基準電圧を出力する電源部と、からなる通電報知制御装置であり、
前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、
且つ、前記扉は、閉鎖状態において、前記収納部の上下に配置された棚の扉または引き出しの面材、及び、一対の側板の小口面に固定されたフィラー面材と、段差なく取り付けられ、
前記扉と前記フィラー面材とを組み合わせた幅が、前記収納部の上下に配置された棚の扉または引き出しの面材と一致していることを特徴とする家電品収納棚。
【発明の詳細な説明】
【技術分野】
【０００１】
本発明は、主に台所まわりで使用する家電品を置く為の家電品収納棚に関するものである。
【背景技術】
【０００２】
台所まわりで使用する炊飯ジャー、湯沸しポット、電子レンジ、オーブンレンジ、トースター等の家電品は使用中に熱や水蒸気を放出する為、閉ざされた空間で使用すると放出される熱や水蒸気によって家電品が故障したり発火して火災の原因となることがある。従ってこれらの家電品は開放された場所に置かれるのが一般的である。
【０００３】
食器棚セットにこれらの家電品の設置スペースが組み込まれる場合であっても、少なくとも前面には扉は設けず開放状態を保つのが一般的である。（例えば特許文献１、２）
【０００４】
一方、近年台所は、ダイニングルームやリビングルームと隔離せず一体的な空間（リビングダイニングキッチン）として設計することが好まれる傾向にある。このような傾向に伴いリビングダイニングキッチン（ＬＤＫ）全体のインテリアコーディネーションに対応しうる意匠性に優れたデザインや材質を有するキッチンセットや食器棚も数多く流通している。
【０００５】
【特許文献１】実用新案登録第３１０５５０９号公報
【特許文献２】特開２００４‐２７５２４６号公報
【発明の開示】
【発明が解決しようとする課題】
【０００６】
しかしながら、インテリアコーディネートされた食器棚セットであっても、前述した通り家電品収納棚は常に開放されているのが現状である。また、台所で使用する家電品も近年意匠性に優れた製品が増加しつつあるものの、多様なインテリアスタイルに対応、調和しきれてはいない。従って、家電品収納棚に置かれる多種多様な家電品によってＬＤＫ空間全体の意匠性が損なわれるという問題が生じていた。
【０００７】
また、家電品から発生する熱、煙、水蒸気等によって生じる家電品収納棚の内面や家電品本体の汚れや変色、あるいは家電品に電気を供給するコード類によって美観が損なわれるという問題も生じていた。
【０００８】
本発明は、上記課題を解決し、家電品使用時の安全性を確保しつつもインテリアコーディネートされたＬＤＫ空間の美観を損なうことのない家電品収納棚を提供することを目的とするものである。
【課題を解決するための手段】
【０００９】
上記課題を解決する為の本発明に係る家電品収納棚の第１の構成は、家電品を収納する収納部と、前記収納部を開閉する扉と、家電品に電気を供給する給電部と、前記扉を閉じた状態での家電品の使用を防止する家電品使用防止装置と、を備えており、前記家電品使用防止装置は、家電品の使用電流を検出する電流検出部と、該電流検出部で検出された電流値が、家電品が使用状態で示す所定の値以上の場合にのみ信号を出力して、家電品が待機状態で示す所定の値以下の場合には信号を出力しない比較部と、該比較部からの信号に基づき家電品が使用されていることを報知する報知部と、該報知部に電力を供給するとともに基準電圧を出力する電源部と、からなる通電報知装置であり、前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、且つ、前記扉は、閉鎖状態において、前記収納部の上下に配置された棚の扉または引き出しの面材、及び、一対の側板の小口面に固定されたフィラー面材と、段差なく取り付けられ、前記扉と前記フィラー面材とを組み合わせた幅が、前記収納部の上下に配置された棚の扉または引き出しの面材と一致していることを特徴とする。
【００１０】
また、本発明に係る家電品収納棚の第２の構成は、家電品を収納する収納部と、前記収納部を開閉する扉と、家電品に電力を供給する給電部と、前記扉を閉じた状態での家電品の使用を防止する家電品使用防止装置と、を備えており、前記家電品使用防止装置は、家電品の使用電流を検出する電流検出部と、該電流検出部で検出された電流値が、家電品が使用状態で示す所定の値以上の場合にのみ信号を出力家電品が待機状態で示す所定の値以下の場合には信号を出力しない比較部と、該比較部からの信号に基づき家電品使用時に前記扉が閉鎖された場合にのみ家電品への給電を停止し、家電品待機時に前記扉が閉鎖された場合には家電品への給電を継続する開閉部と、該報知部に電力を供給するとともに基準電圧を出力する電源部と、からなる通電報知装置であり、前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、且つ、前記扉は、閉鎖状態において、前記収納部の上下に配置された棚の扉または引き出しの面材、及び、一対の側板の小口面に固定されたフィラー面材と、段差なく取り付けられ、前記扉と前記フィラー面材とを組み合わせた幅が、前記収納部の上下に配置された棚の扉または引き出しの面材と一致していることを特徴とする。
【００１１】
また、本発明に係る家電品収納棚の第３の構成は、家電品を収納する収納部と、前記収納部を開閉する扉と、家電品に電力を供給する給電部と、前記扉を閉じた状態での家電品の使用を防止する家電品使用防止装置と、を備えており、前記家電品使用防止装置は、家電品の使用電流を検出する電流検出部と、該電流検出部で検出された電流値が、家電品が使用状態で示す所定の値以上の場合にのみ信号を出力家電品が待機状態で示す所定の値以下の場合には信号を出力しない比較部と、該比較部からの信号に基づき家電品が使用されていることを報知する報知部と、該比較部からの信号に基づき家電品使用時に前記扉が閉鎖された場合にのみ家電品への給電を停止し、家電品待機時に前記扉が閉鎖された場合には家電品への給電を継続する開閉部と、該報知部に電力を供給するとともに基準電圧を出力する電源部と、らなる通電制御装置であり、前記扉は、天板と接する辺を支点として前記天板と略平行になるまで前記扉を回動させて開放する回動機構と、回動して開放した前記扉を前記天板に沿って前記収納部内に摺動させて収納する摺動機構と、を備えた開閉装置により開閉し、且つ、前記扉は、閉鎖状態において、前記収納部の上下に配置された棚の扉または引き出しの面材、及び、一対の側板の小口面に固定されたフィラー面材と、段差なく取り付けられ、前記扉と前記フィラー面材とを組み合わせた幅が、前記収納部の上下に配置された棚の扉または引き出しの面材と一致していることを特徴とする。
【発明の効果】
【００１２】
本発明に係る家電品収納棚の第１の構成によれば、家電品が待機状態にある場合（微電流が供給されている場合）には作動せず、家電品の使用時のみ作動してアラーム音や表示灯などの報知部で家電品が使用中であることを報知できる。これにより、常に微電流を供給する必要のある家電品の機能を維持することができる。また、アラーム音や表示灯などの報知部からの情報により家電品の使用状態がわかるので家電品の使用中に誤って扉を閉じてしまうことを防止でき、家電品収納棚内部の構成部材の変質や劣化、家電品の故障等の発生を低減させることができるとともに安全性を保つことができる。
【００１３】
本発明に係る家電品収納棚の第２の構成によれば、家電品の使用中に扉を閉めた場合に自動的に電気の供給を完全に遮断するので、家電品不使用時のエネルギーの消費を抑制することができる。また、家電品の使用中に扉を閉じてしまうことを防止でき、家電品収納棚内部の構成部材の変質や劣化、家電品の故障等の発生を低減させることができるとともに安全性を保つことができる。
【００１４】
本発明に係る家電品収納棚の第３の構成によれば、アラーム音や表示灯などの報知部からの情報により家電品の使用状態がわかるので誤って扉を閉めてしまい調理が中断される可能性が低く、さらに、万が一家電品使用中に扉を閉めてしまった場合には自動的に電気が供給されなくなるので安全性が高い。また、常に微電流を供給する必要のある家電品に対しては、待機状態にある場合（微電流が供給されている場合）には扉を閉めても電気は供給され続けるので、家電品の機能を維持することができる。
【発明を実施するための最良の形態】
【００１５】
本発明に係る家電品収納棚の好ましい実施形態について具体的に説明する。
【００１６】
（家電品収納棚）
本発明で言う家電品収納棚は、家電品を収納する収納部と、前記収納部を開閉する扉を有している。具体的には、家電品を載置するカウンター面があり、カウンターの上部空間を覆う一対の側板と、上板と、背板とで構成された前面を除く５面が固定的に閉ざされた収納部に対し、前面部分を開閉する開閉式の扉を取り付けて構成されたものであり、家電品収納棚のみ単独で構成されたものでも構わないし、上下や左右に食器棚や食品庫（パントリー）等と組み合わされて構成されたものでも構わない。また、内部が仕切り板や棚板等によって複数の空間に分割されたものでも構わない。
【００１７】
（扉）
家電品収納棚に取り付けられる扉の開閉形式は特に限定されず、両開き（観音開き）、片開き、引き違い、折れ、上開き（跳ね上げ）、下開き（前倒し）等様々な形式の扉に適用が可能である。
【００１８】
但し、調理作業の邪魔にならない（開放時に扉が突出したり、他の部分を覆い隠したりすることのない）ような構成とする為には、両開き（観音開き）、片開き、上開き（跳ね上げ）等で９０度開いた状態でスライドさせて内部に格納しうるタイプが好ましく、蛇腹タイプやシャッタータイプは他の扉との統一が困難である為意匠の統一という点では好ましくない。
【００１９】
また、他の扉や引出しの面材とツラや材質を揃える為には、両開き（観音開き）、片開き、上開き（跳ね上げ）、折れ、等が好ましい。この場合、他の扉や引出しの面材と見かけの巾（もしくは高さ）を揃える為（あるは側板や上板の前端面が正面から見えないようにする為）に側板や上板の前端面にダミーの面材を付加しておくのが好ましい。
【００２０】
（扉の開閉装置）
扉を両開き（観音開き）、片開き、上開き（跳ね上げ）等で９０度開いた状態でスライドさせて内部に格納しうるタイプとした場合の扉の開閉装置は、例えば、両開き（観音開き）あるいは片開きの扉に対しては、特開平６‐５８０４０に記載の扉押し込み収納装置が適用可能である。
【００２１】
また、上開き（跳ね上げ）式の扉に対しては、例えば特開平８‐２８４５２３に記載の開閉装置を適用することができ、家電品収納棚の上部空間が開放されている場合には、扉の形式をオーバーヘッド式として、特開平９‐３０３０３８に記載のようなオーバーヘッドドア開閉式ダンパーを適用することができる。
【００２２】
（給電部）
給電部は、家電品収納棚の内部に配設され家電品のプラグを差込み家電品に電気を供給するコンセントと、該コンセントへ電気を供給するケーブルと、からなり、ケーブルの端部は、プラグや電源直結のための配線出しの形状として収納棚の背面等の目立たないところに出しておく必要がある。
【００２３】
なお、使用中に熱や水蒸気が発生しない家電品を常時使用できるようにする為、後述する家電品使用防止装置に連動するもの以外に、家電品使用防止装置に連動しない通常のコンセントを併設してもよい。
【００２４】
（通電報知装置）
通電報知装置は、待機状態の弱い電流の場合には作動せず、使用中の大きな電流の場合には作動して表示灯を点灯させたり、アラーム音を発生させたりする装置である。
【００２５】
例えば、特開２００２−５９６３に示されているように、鉄心と該鉄心に励磁された磁界により電流が流れる巻線とその電流を分流させる可変抵抗器とで電流値判定部を構成し、この可変抵抗器で分流させ一定電流以上になった時に点灯する発光素子で報知部を構成し、ケーブルを鉄心の内部に挿通することで、家電品の待機中には点灯せず、使用中にのみ点灯し通電を報知する通電報知装置を構成することができる。
【００２６】
その他、電気回路中に変流器（トランス）を挿入しコンパレータで電圧を検出したり、電気回路中のケーブルの周囲に発生した磁束をホール素子により検出したり、電気回路中に直列に抵抗を挿入し抵抗の両端に発生する電圧降下により電流の有無を判別するなどして所定の大きさの電流を判別し、表示灯を点灯させることやアラーム音を発生させることができる。
【００２７】
（通電制御装置）
通電制御装置は、給電部内部の電気回路のなかにスイッチを組み込み、扉を閉じた状態でスイッチが作動し回路が遮断されるように構成したものである。
【００２８】
例えば、通常はコイルバネ等によって付勢されることによって回路がつながった状態を維持し、押した状態において回路を遮断する押しボタン式スイッチを、扉を閉じた状態でボタンが扉で押されて回路が遮断される位置に設置することで通電制御装置を構成することができる。
【００２９】
（通電報知制御装置）
通電報知制御装置は、家電品を使用中の場合はアラーム音や表示灯で使用状態であることを報知し、使用中に扉を閉じると回路を遮断し家電品の使用を中断させる。また、家電品が待機中の場合は扉を閉じても回路が遮断されず、待機状態を継続させることができる装置である。
【００３０】
例えば、前記した変流器（トランス）を挿入しコンパレータで所定の大きさの電流を判別し表示灯を点灯させたりやアラーム音を発生させたりする通電報知装置を内蔵するとともに、前記コンパレータで所定の大きさの電流を検出し回路を遮断するリレーと前記した回路を遮断する押しボタンスイッチとを並列にして回路の中に挿入することにより通電報知制御装置を構成することができる。
【実施例】
【００３１】
以下、本発明に係る実施例について図を用いて説明する。
【００３２】
本実施例は、食器棚セットの一部に上開き（跳ね上げ）式の扉を有する家電品収納棚を組み込むとともに、前記扉を閉じた状態での家電品の使用を防止する家電品使用防止装置の１つ実施形態である通電報知制御装置を備えたものであり、図１は食器棚セットの構成を示す正面図、図２は家電品収納棚の側面図、図３は通電報知制御装置の回路図、図４は本発明に係る通電報知装置の回路図、図５は本発明に係る通電報知装置の回路図である。
【００３３】
図１、２において、家電品収納棚Ａは食器棚Ｂ、引き出しＣを含む食器棚セットＤに組み込まれており、食器棚セットＤはその背面を台所の壁面に沿わせて固定されている。
【００３４】
家電品収納棚Ａは、カウンター１、上板２、一対の側板３、背板４によって前面を除く５面が固定的に閉ざされた家電品を収納する収納部を有し、前面には収納部を開閉する上開き式の扉５が開閉装置６を介して取り付けられている。
【００３５】
側板３の小口面３ａには扉５と同じ材質で同じ高さと厚みを有するフィラー面材７が固定されており、扉５とフィラー面材７を組み合わせた幅が、その上下の食器棚Ｂの扉や引出しＣの面材を組み合わせた幅と一致するように構成されている。
【００３６】
閉鎖状態の家電品収納棚Ａの扉５は、食器棚セットＤの他の扉と同様にその裏面５ａが側板３の前面側の小口面３ａと略一致するように位置決めされ、他の扉の表面と段差が生じないように構成されている。
【００３７】
開閉装置６は、ガイドレール６ａ、ブラケット６ｂ、スライド蝶番６ｃ、ダンパ６ｄ、転動体６ｅからなる。開閉装置６については、特開平８‐２８４５２３に開示された開閉装置と同様の構成である為、詳細な説明を省略する。
【００３８】
扉５を跳ね上げると、扉５はスライド蝶番６ｃとダンパ６ｄにより手前にスライドしながら回動し、図２において２点鎖線で示したように上板２より僅かに下方の位置で上板２と平行となった状態で静止する。扉５を後方に押すと扉はスライド蝶番６ｃやダンパ６ｄとともにガイドレール６ａに沿って後方に水平移動し１点鎖線で示したように家電品収納棚Ａの内部に収納される。
【００３９】
これにより、扉５をほぼ全開にした状態で側板３や上板２に沿って収納することができ、調理作業中に扉５が邪魔になることがなく（即ち、引き違い扉のように有効な間口が小さくなることや開き扉のように前面空間に突出することがなく）、家電品の使用中に誤って扉５を閉じてしまう可能性もさらに低減させることができる。即ち、開いた状態の開き扉が身体に触れて閉じてしまう虞がなく、収容式の扉の場合は扉を閉じる際には扉を引き出す行為が必要になるので家電品が使用中であることを見逃して不用意に閉じてしまうことが回避できる。
【００４０】
家電品収納棚Ａの内部には家電品のプラグ（不図示）を差し込む為のコンセント１０ａを備え、該コンセント１０ａからはケーブル１０ｂが家電品収納棚Ａの外部まで延伸し、その先端部は外部のコンセントに接続し得るようにプラグが取り付けられて給電部１０が構成されている。
【００４１】
ケーブル１０ｂの中途には図３に示した回路で構成された通電報知制御装置２０が介在している。
【００４２】
通電報知制御装置２０は、家電品の使用電流を検出する電流検出部２１と、該電流検出部２１で検出された電流値が所定の値以上か否かを比較し所定の値以上の場合に反転信号を出力する比較部２２と、該比較部２２からの家電品の使用状態を知らせる反転信号に基づきアラーム音や表示灯などで家電品が使用されていることを報知する報知部２３と、該比較部２２からの家電品の使用状態を知らせる反転信号に基づき家電品の使用時に扉５が閉鎖された場合にのみ家電品への給電を停止する開閉部２４と、報知部２３に電力を供給するとともに基準電圧を出力する電源部２５とからなる。
【００４３】
電流検出部２１は、ケーブル１０ｂの一方を数ターン卷回したものに対して細線を数百ターン卷回して構成したトロイダルコイル２１ａと、ブリッジ整流器２１ｂと抵抗２１ｃ及びコンデンサ２１ｄからなる平滑回路と、リミッタ用のツェナーダイオード２１ｅとで構成されている。トロイダルコイル２１ａには使用電流に応じた交流電圧が誘発される。そして、電流検出部２１から出力される直流電圧は、次に比較部２２に加えられる。
【００４４】
比較部２２は、コンパレータ２２ｃと、該コンパレータ２２ｃの基準電圧を設定する為の抵抗２２ａと可変抵抗２２ｂとからなる抵抗分圧部とで構成されている。
【００４５】
電流検出部２１からの検出電圧はコンパレータ２２ｃの比較入力端子に入力される。比較部２２の出力端子は後述する報知部２３の発光ダイオード２３ａと開閉部２４のリレー２４ａに接続される。発光ダイオード２３ａに接続される抵抗２３ｂは電流制限用の抵抗である。
【００４６】
電源部２５は、電圧降下の為の抵抗２５ａ、コンデンサ２５ｂ、ブリッジ整流器２５ｃ、平滑用のコンデンサ２５ｄ、及び定電圧出力用のツェナーダイオード２５ｅからなる。電源部２５が出力する直流定電圧は、前述した比較部２２と発光ダイオード２３ａに基準電圧用及び電力供給用として送られる。
【００４７】
報知部２３は、比較部２２のコンパレータ２２ｃに接続し、電流検出部２１に応答して定格値以上の電流が流れた場合（家電品が使用状態の場合）に点灯する発光ダイオード２３ａを備えており、発光ダイオード２３ａは側板３の内面に取り付けられている。
【００４８】
比較部２２内の可変抵抗２２ａにより、使用電流が定格値以上となった時にコンパレータ２２ｃの出力が反転するような基準電圧を設定することにより、家電品の使用時には発光ダイオード２３ａを点灯させて家電品が使用中であることを報知することができる。
【００４９】
開閉部２４は、比較部２２のコンパレータ２２ｃに接続し使用電流が定格値以上となった時に回路を遮断するリレー２４ａと、扉５を閉めた状態で扉５により押圧されて回路を遮断する押しボタンスイッチ２４ｂとを並列にし、これをケーブル１０ｂの一方の中途に介在させることにより構成されている。
【００５０】
使用電流が定格値に満たない場合（家電品が待機状態の場合）、リレー２４ａ内で回路は遮断されないのでリレー２４ａ側のルートと押しボタンスイッチ２４ｂ側のルートの双方を経由して家電品に電力が供給される。従って、扉が閉ざされて押しボタンスイッチ２４ｂが押圧されてもリレー２４ａ側のルートを経由して家電品に電力が供給され続ける。
【００５１】
使用電流が定格値以上となった場合（家電品が使用状態の場合）、リレー２４ａ内で回路は遮断されて押しボタンスイッチ２４ｂ側のルートのみで家電品に電力が供給される。そして、扉５が閉ざされた場合、押しボタンスイッチ２４ｂが押圧されて家電品に対する電力の供給は完全になくなり、家電品は停止する。
【００５２】
（効果）
本実施例によれば、家電品を使用していない場合には扉５で家電品及び家電品収納棚内部を覆い隠し収納棚周りの美観を向上させることができる。また、通電報知制御装置２０を設けたことにより、家電品の使用時には扉５が閉じられることを防止することができ、家電品収納棚内部の構成部材（カウンター１、上板２、一対の側板３、背板４）の変質や劣化、家電品の故障等の発生を低減させることができるとともに安全性を保つことができる。
【００５３】
また、通電報知制御装置２０を設けたことにより、アラーム音や表示灯などの報知部からの情報により家電品の使用状態がわかるので誤って扉を閉めてしまい調理が中断される可能性が低く、さらに、万が一家電品使用中に扉を閉めてしまった場合には自動的に電気が供給されなくなるので安全性が高い。また、常に微電流を供給する必要のある家電品に対しては、待機状態にある場合（微電流が供給されている場合）には扉を閉めても電気は供給され続けるので、家電品の機能を維持することができる。
【００５４】
（他の実施例）
上記実施例における通電報知制御装置２０を、図４に示した回路を有する通電報知装置３０に置き換えることにより、待機状態の弱い電流の場合には作動せず、使用中の大きな電流の場合には作動して表示灯を点灯させたり、アラーム音を発生させたりする機能のみを有する家電品収納棚Ａを構成することができる。
【００５５】
通電報知装置３０は、通電報知制御装置２０から開閉部２４を省略したものであり、他の構成は通電報知制御装置２０と同一である為説明を省略する。
【００５６】
通電報知装置３０を設けたことにより、家電品が待機状態にある場合（微電流が供給されている場合）には作動せず、家電品の使用時のみ作動してアラーム音や表示灯などの報知部２３で家電品が使用中であることを報知できる。これにより、常に微電流を供給する必要のある家電品の機能を維持することができる。また、アラーム音や表示灯などの報知部からの情報により家電品の使用状態がわかるので、家電品の使用中に誤って扉５を閉じてしまうことを防止でき、家電品収納棚内部の構成部材（カウンター１、上板２、一対の側板３、背板４）の変質や劣化、家電品の故障等の発生を低減させることができるとともに安全性を保つことができる。
【００５７】
上記実施例における通電報知制御装置２０を、図５に示した回路を有する通電制御装置４０に置き換えることにより、家電品の使用中に扉５を閉めた場合に自動的に電気の供給を遮断する機能のみを有する家電品収納棚Ａを構成することができる。
【００５８】
通電制御装置４０は、押圧により回路が遮断される押しボタンスイッチ４１のみをケーブル１０ｂの中途に介在させたものである。
【００５９】
通電制御装置４０を設けたことにより、家電品の使用中に扉を閉めた場合に自動的に電気の供給を完全に遮断するので、家電品不使用時のエネルギーの消費を抑制することができる。また、家電品の使用中に扉５を閉じてしまうことを防止でき、家電品収納棚内部の構成部材（カウンター１、上板２、一対の側板３、背板４）の変質や劣化、家電品の故障等の発生を低減させることができるとともに安全性を保つことができる。
【００６０】
上記実施例では、上開き式の扉５を有する家電品収納棚Ａについて説明をしたが、両開き（観音開き）式の扉の場合であっても公知の開閉装置を用いて同様の構成とすることができ、同様の効果を得ることができる。
【産業上の利用可能性】
【００６１】
本発明は、台所で使用する家電品に限らず、使用中に熱や蒸気等を発生する家電品を、非使用時には扉にて覆い隠すとともに使用時には閉扉を防止したい場合に広く適用、展開が可能である。
【図面の簡単な説明】
【００６２】
【図１】本発明に係る家電品収納棚を組み込んだ食器棚を示す正面図である。
【図２】本発明に係る家電品収納棚を示す断面図である。
【図３】本発明に係る通電報知制御装置を示す回路図である。
【図４】本発明に係る通電報知装置を示す回路図である。
【図５】本発明に係る通電制御装置を示す回路図である。
【符号の説明】
【００６３】
Ａ…家電品収納棚
Ｂ…食器棚
Ｃ…引き出し
Ｄ…食器棚セット
１…カウンター
２…上板
３…側板
３ａ…側板の小口面
４…背板
５…扉
５ａ…扉の裏面
６…開閉装置
６ａ…ガイドレール
６ｂ…ブラケット
６ｃ…スライド蝶番
６ｄ…ダンパ
６ｅ…転動体
７…フィラー面材
８…上下の扉
９…引き出しの面材
１０…給電部
１０ａ…コンセント
１０ｂ…ケーブル
１０ｃ…プラグ
２０…通電報知制御装置
２１…電流検出部
２１ａ…トロイダルコイル
２１ｂ…ブリッジ整流器
２１ｃ…抵抗
２１ｄ…コンデンサ
２１ｅ…ツェナーダイオード
２２…比較部
２２ａ…コンパレータ
２３…報知部
２３ａ…発光ダイオード
２３ｂ…抵抗
２４…開閉部
２４ａ…リレー
２４ｂ…押しボタンスイッチ
２５…電源部
２５ａ…抵抗
２５ｂ…コンデンサ
２５ｃ…ブリッジ整流器
２５ｄ…コンデンサ
２５ｅ…ツェナーダイオード
３０…通電報知装置
４０…通電制御装置
４１…押しボタンスイッチ
【図１】
0005398105.tif 000002
【図２】
0005398105.tif 000003
【図３】
0005398105.tif 000004
【図４】
0005398105.tif 000005
【図５】
0005398105.tif 000006